(57)【要約】人用のアイマスクは、人の眼を覆うように構成され、かつ、圧力により変形可能な鼻ブリッジを有する前方部分と、それぞれが前方部分に取付けられ、かつ、ストラップ端部において終端する２本のサイドストラップであって、各ストラップ端部は二つの部分で構成される第１の機械的留め具の少なくとも一部を有するサイドストラップとを備える。サイドストラップの少なくとも一方は、座席の一部を取り囲むように構成された座席保持ストラップに取付けるための、二つの部分で構成される第２の機械的留め具の第１の部分を備えていてもよい。人の頭部を座席に対して保持するために、座席又は座席のヘッドレストを取り囲むための複数の異なるストラップを備える、その他の調節可能な取付け手段が備えられる。各サイドストラップは、耳栓を保持するために該サイドストラップの中に形成されたポケットを備えていてもよい。
2015528330.tif 000002
【特許請求の範囲】
【請求項１】
人用のアイマスクであって、
人の眼を覆うように構成された前方部分と、
前記前方部分にそれぞれ取付けられ、ストラップ端部において終端する２本のサイドストラップであって、各ストラップ端部は、二つの部分で構成される機械的留め具の少なくとも一つの部分を有する２本のサイドストラップとを備え、
それによって、前記ストラップ端部が、前記機械的留め具により、人の頭部の周囲において互いに対して固定され、前記前方部分が人の眼から周囲の光を遮断する、アイマスク。
【請求項２】
前記前方部分が、人の鼻の形状に適合する、圧力により変形可能な鼻ブリッジを更に備え、それによって、前記ストラップ端部同士が、機械的留め具により、人の頭部の周囲において互いに対して固定された状態で、前記鼻ブリッジが、人の鼻及び顔の形状に適合して人の眼から周囲の光を更に遮断するように調節され得る、請求項１に記載のアイマスク。
【請求項３】
前記前方部分が、不透明な外層と圧力により変形可能な内層とを備え、該圧力により変形可能な内層は、前記圧力により変形可能な鼻ブリッジを形成し、内側の圧力により変形可能な材料を取り囲む可撓性外装シースを備える、請求項２に記載のアイマスク。
【請求項４】
前記内側の圧力により変形可能な材料は金属材料である、請求項３に記載のアイマスク。
【請求項５】
前記不透明な外層が１対の眼用の窪み部分を備え、それによって前記アイマスクが人に装着されているときに、人のまぶた及びまつ毛が前記外層に接触しない、請求項３に記載のアイマスク。
【請求項６】
前記サイドストラップの少なくとも一方は、少なくとも１つの耳栓を保持するように構成されたポケットを備える、請求項１に記載のアイマスク。
【請求項７】
各サイドストラップが前記ポケットを１つ備え、各耳栓がひもで前記サイドストラップに取付けられている、請求項６に記載のアイマスク。
【請求項８】
前記前方部分が、鼻ブリッジにおいて固定された１対のレンズのように見える部分を備えたメガネの形状をしている、請求項１に記載のアイマスク。
【請求項９】
各サイドストラップが、人に装着されているときに人の耳に近接する弾性部分を備え、該弾性部分はサイドストラップによる人の耳の引っ張りを減らすために、人の耳によって変形可能である、請求項１に記載のアイマスク。
【請求項１０】
前記弾性部分は、耳栓を保持するように構成されたポケットを形成している、請求項９に記載のアイマスク。
【請求項１１】
前記サイドストラップの少なくとも一方は、二つの部分で構成される第２の機械的留め具の第１の部分を備え、前記アイマスクは、座席の一部を取り囲むように構成され、かつ、少なくとも１つの長さ調節バックルと前記二つの部分で構成される第２の機械的留め具の第２の部分とを備えている、座席保持ストラップを更に備え、それによって該座席保持ストラップは、座席の一部の周囲に位置決めされ、前記二つの部分で構成される第２の機械的留め具の第２の部分が前方を向いた状態で、かつ、二つの部分で構成される第２の機械的留め具の第１の部分が後方を向いて前記アイマスクが人に装着されている状態で、前記座席の一部の周囲に固定されてもよく、前記二つの部分で構成される機械的留め具の第１及び第２の部分は、人の頭部を座席に対して保持するために、互いに対して固定され得る、請求項１に記載のアイマスク。
【請求項１２】
各サイドストラップは、第３の機械的留め具の第１の部分を備え、該第１の部分は、前記第３の機械的留め具の第２の部分を有する端部にて終端する保持ストラップに選択的に取付けられるように構成されている、請求項１に記載のアイマスク。
【請求項１３】
各サイドストラップは、第３の機械的留め具の第１の部分を備え、前記アイマスクは、少なくとも１つの長さ調節バックルと、前記第３の機械的留め具の第２の部分で終端する２つの保持ストラップ端部とを有する、座席保持ストラップを更に備え、前記２つの保持ストラップ端部はそれぞれ、各サイドストラップの第３の機械的留め具の第１の部分に選択的に取付けられるように構成されている、請求項１に記載のアイマスク。
【請求項１４】
前記保持ストラップは、座席の一部を取り囲むように構成され、かつ、前記長さ調節バックルの１つを備える、座席保持ストラップと、前記第３の機械的留め具の前記第２の部分の一方を有する前端でそれぞれ終端する１対の前方保持ストラップとを備え、各前方保持ストラップは、前方保持ストラップを座席保持ストラップに選択的に取付けるように構成されたストラップコネクタを有する後端において終端し、それによって座席保持ストラップは、座席の一部の周囲に位置決めされて、該座席の一部の周囲に固定されてもよく、前記アイマスクが人に装着されている状態で、人の頭部が座席に対してほぼ定位置に保持されるように、各前方保持ストラップは、その後端において座席保持ストラップに取付けられ、その前端において前記サイドストラップの一方に取付けられている、請求項１３に記載のアイマスク。
【請求項１５】
各前方保持ストラップが前記長さ調節バックルの１つを備え、それによって前記前方保持ストラップの長さが選択的に調節可能であり得る、請求項１４に記載のアイマスク。
【請求項１６】
前記第３の機械的留め具が１対の磁石を備える、請求項１２に記載のアイマスク。
【請求項１７】
前記第３の機械的留め具が１対の磁石を備える、請求項１３に記載のアイマスク。
【請求項１８】
前記第３の機械的留め具は、リングと、該リングに選択的に固定されるように構成される機械的クリップとを備える、請求項１２に記載のアイマスク。
【請求項１９】
前記第３の機械的留め具は、リングと、該リングに選択的に固定されるように構成される機械的クリップとを備える、請求項１３に記載のアイマスク。
【請求項２０】
前記長さ調節バックルは、前記ストラップを中で選択的に固定するためにカムロック機構を備える、請求項１３に記載のアイマスク。
【発明の詳細な説明】
【発明の詳細な説明】
【０００１】
［関連出願の相互参照］
本願は、２０１２年８月７日に出願された米国仮特許出願第６１／６８０，２７７号、及び２０１３年８月５日に出願された米国実用特許出願第１３／９５９，６１５号の利益を主張し、両者は参照により本願に援用される。
［発明の分野］
本発明はアイマスクに関し、より詳細には、旅行者用のアイマスクに関する。
［関連技術の考察］
現在、眼への光を遮断することによって人の眠り、休息、リラクゼーション、又は瞑想を補助するためのアイマスク、アイピロー、安眠マスク等が数多く存在する。このような先行技術の装置を用いると、光が該装置の上部から、より一般的には下部から入り込んでしまうことが多い。それは、このような先行装置は、各人の顔の特徴に形状が合致するものではないからである。顔のこれらの場所は多くの場合、人によって異なり、場合によっては大きく異なるため、フリーサイズのものを作製しても、多くの消費者が満足しない。ベッドの中、家又はオフィス等の椅子、又は航空機、電車、バス又は車の座席などのいくつかの環境において、又は明るい可能性がある任意の場所において、このような光が眼に達すると入眠又は安眠の妨げとなり得る。
【０００２】
例えば、１９８９年１０月１０日に北山に付与された米国特許第４，８７２，２１７号には、鼻の周囲に一定の特定形状を有するアイマスクが教示されている。この鼻ブリッジ領域は、異なるサイズ又は形状の鼻及び頬骨を有する人には適合しないため、多くの場合、マスクとユーザの顔との間に周囲の光が入り込んでしまう可能性がある。
【０００３】
１９８９年７月１１日にシャーマンに付与された米国意匠特許第３０２，１６７号には、マスクを顔に保持するための外観的に弾性を有するストラップを要する、外観的にしなやかな内周面を有したアイマスクが教示されている。このような弾性ストラップは顔に圧力をかけ、このような圧力は多くのユーザにとって不快であり、かつ顔に対する圧力が閉所恐怖症の感覚を引き起し得る。
【０００４】
２００２年１１月５日にゴードンに付与された米国意匠特許第４６５，２３４号、及び２００４年５月１１日にランドヴィックに付与された意匠特許第４８９，７４９号には共に、鼻の領域の周囲で変形可能であるように見え、かつ、ユーザの後頭部周囲においておそらく面ファスナタイプの留め具で固定されるアイマスクについて教示されている。このような装置は頭部に対して比較的大型であり、比較的重く、暑苦しく、着け心地が悪い。
【０００５】
旅行の際に上体を起こした姿勢で眠ろうとするときに、多くの人がＵ字型の首枕、又はいわゆるトラベルピローを使用する。このような先行技術の装置を用いると、上体を起こして座ったままどうにか眠ることができたとしても、たびたび頭が突然落ちて、休息が十分に取れない周期的なプロセスにある人は眼が覚めてしまう。このような先行技術の装置では、ユーザが眠っている間、頭部を座席に対して保持した状態を維持することができず、かつ側方への支持がほとんどなされていない。
【０００６】
これまで、眠っている人の頭部を座席に対して保持しつつ、同時にユーザの眼が周囲の光にさらされないようにするための、改良されたアイマスクを提供する十分な解決策はなかった。
【０００７】
したがって、眠っている人の頭部を座席に対して保持しつつ、同時にユーザの眼が周囲の光にさらされないようにするための改良されたアイマスクを提供する装置への需要がある。このような必要とされている発明は更に、ユーザの耳から周囲の雑音を減らし、魅力のある、最小限のサイズとなるであろう。このような必要とされている装置は、様々な乗り物の座席に適合可能となるであろうし、ユーザの顔及び鼻の個別の形状と合致するような形状付与を可能にするであろう。本発明は、これらの目的を達成する。
［発明の概要］
本装置は、人の眼を覆うように構成された前方部分を備える、人用のアイマスクである。前方部分は、人の鼻の形状に適合する、圧力により変形可能な鼻ブリッジを備えていることが好ましい。前方部分は、不透明な外層と圧力により変形可能な内層とを備えていてもよい。
【０００８】
一実施形態において、不透明な外層は、アイマスクが人に装着されているときに人のまぶた及びまつ毛が外層に触れないように、１対の眼用の窪み部分を備える。更に、アイマスクは、少なくとも１つのパッド入りの領域をアイマスクの内面に備えていてもよい。
【０００９】
２本のサイドストラップは、それぞれ前方部分に取付けられており、ストラップ端部にて終端する。各ストラップ端部は、例えば面ファスナタイプの留め具などの、二つの部分で構成される第１の機械的留め具の少なくとも一つの部分を有する。したがって、アイマスクは、二つの部分で構成される第１の機械的留め具の各部分を互いに対して固定することによって、人の頭部に固定されてもよい。
【００１０】
一実施形態において、少なくとも一方のサイドストラップは、少なくとも１つの耳栓等を保持するように構成されたポケットを備える。２本のサイドストラップがそれぞれ１つのポケットを備える一実施形態において、各ポケットは、耳栓が紛失する可能性を減らすためにひもでポケットに取付けられた耳栓の１つを備えていてもよい。
【００１１】
使用時において、ストラップ端部は機械的留め具により、人の頭部の周囲において互いに対して固定され、前方部分は人の眼から周囲の光を遮断する。圧力により変形可能な鼻ブリッジは人の鼻及び顔の形状に適合するように調節され、人の眼から周囲の光を更に遮断するようにしてもよい。
【００１２】
サイドストラップの少なくとも一方は、例えば面ファスナタイプの留め具、１対の磁石等の、二つの部分で構成されるの第２の機械的留め具の第１の部分を備えていてもよい。このような実施形態において、アイマスクは、例えば既存の航空機又は自動車の座席等の、座席の一部を取り囲むように構成された座席保持ストラップを更に備える。このような座席保持ストラップは、少なくとも１つの長さ調節バックルと、二つの部分で構成される機械的留め具の第２の部分と、任意選択で、保持ストラップの端部を相互に固定するための二つの部分で構成される固定バックルとを備える。長さ調節バックルはそれぞれ、ストラップを中で選択的に固定するためにカムロック機構を備えていてもよい。
【００１３】
この場合、座席保持ストラップは座席の一部の周囲に位置決めされ、各ストラップ端部を互いに一緒に固定し、長さ調節バックルを調節することによって、座席の一部の周囲に固定される。二つの部分で構成される第２の機械的留め具の第２の部分が前方を向いた状態で、かつ、第２の二つの部分で構成される機械的留め具の第１の部分が後方を向いてアイマスクが人に装着されている状態で、二つの部分で構成される第２の機械的留め具の第１及び第２の部分は互いに対して固定され、人の頭部を座席に対して保持してもよい。
【００１４】
代替的に、各サイドストラップは、第３の機械的留め具の第１の部分であって、第３の機械的留め具の第２の部分を有する端部で終端する保持ストラップに選択的に取付けられるように構成されている、第３の機械的留め具の第１の部分を更に備えていてもよい。このような第３の機械的留め具は、１対の磁石、リング、機械的クリップ等を備えていてもよい。この場合、保持ストラップは座席の周囲に位置決めされて、各サイドストラップに取付けられて、人の頭部を座席に対して保持してもよい。保持ストラップは、長さ調節バックルの１つを備えていてもよい。
【００１５】
保持ストラップは、座席の一部を取り囲むように構成され、かつ、長さ調節バックルの１つを備える、座席保持ストラップを備えていてもよい。保持ストラップは、それぞれ第３の機械的留め具の第２の部分の一方を有する前端と、それぞれ前方保持ストラップを座席保持ストラップで選択的に固定するように構成されているストラップコネクタを有する後端とにおいて終端する、１対の前方保持ストラップを更に備えていてもよい。各前方保持ストラップは、前方保持ストラップの長さを選択的に調節可能とし得るように、長さ調節バックルの１つを更に備えていてもよい。
【００１６】
この場合、座席保持ストラップは、座席の一部の周囲に位置決めされ、座席保持ストラップの長さを長さ調節バックルで調節することによって、座席の一部の周囲に固定されてもよい。各前方保持ストラップは、後端においては座席保持ストラップに、前端においてはサイドストラップの一方に取付けられる。この場合、アイマスクが人に装着された状態で、人の頭部は座席に対してほぼ定位置に保持される。
【００１７】
本発明は、睡眠者の頭部を座席に対して保持しつつ、同時にユーザの眼から周囲の光を遮断する改良されたアイマスクを提供する。本装置は更に、ユーザの耳から周囲のノイズを減らし、魅力的な最小限のサイズをしている。更に、本発明は様々な乗り物の座席に適合可能であり、ユーザの顔及び鼻の特定の形状に合致する形状を可能にしている。本発明のその他の特徴や利点は、本発明の原理を例として図示した添付の図面と併せて、以下のより詳細な説明から明らかになるであろう。
【図面の簡単な説明】
【００１８】
【図１】本発明の一実施形態の後面斜視図である。
【図２】本発明の一部破断正面図であり、人に装着されているように図示されている。
【図３】図２の３−３線における、本発明の部分断面図である。
【図４】本発明の代替的な実施形態の左側面図である。
【図５】本発明の別の代替的な実施形態の正面図である。
【図６】座席保持ストラップを有する、本発明の実施形態の上面図である。
【図７】保持ストラップを有する、本発明の代替的な実施形態の上面図である。
【図８】座席保持ストラップ及び１対の前方保持ストラップを備える座席保持ストラップを有する、本発明の実施形態の上面図である。
【発明を実施するための形態】
【００１９】
［好適な実施形態の詳細な説明］
本発明の例示的な実施形態が、以下に説明されている。以下の説明では、これらの実施形態が十分に理解されるために、かつ、これらの実施形態に関する説明を実施可能にするために、特定の詳細が提供されている。本発明がこのような詳細がなくても実施され得るということは、当業者の理解するところであろう。他の例において、既知の構造及び機能は、当該実施形態の説明が不必要に不明瞭になることを避けるため、詳細には図示又は説明されていない。
【００２０】
本文によって明確に要求されていない限り、明細書及び請求項全体において、「備える」、「備えている」等の語は、排他的又は網羅的な意味ではなく、包含的な意味、すなわち「含んでいるが、それに限定されない」という意味に解釈される。単数又は複数を用いる語は、それぞれ複数又は単数も含んでいる。また、「ここで」「上記で」「下記で」という語、及び同様の趣旨の語が本願で使用されている場合には、本願全体を参照しているのであって、本願の特定の部分を参照するものではない。請求項において「又は」という語が、２つ以上のものの一覧を参照するために用いられている場合、その語は、後述されるその語の全ての解釈、すなわち一覧中の任意のもの、一覧中の全てのもの、及び一覧中の任意の組合せをも包含する。「それぞれ」という語が、数の上では少なくとも１つのものとして前述されたある要素を参照するために用いられる場合、「それぞれ」という語は必ずしもその要素が複数であることを意味しておらず、単数の要素を意味し得る。
【００２１】
図１及び２は、人２０用のアイマスク１０を示している。アイマスク１０の前方部分３０は、人の眼２２を覆うように構成されている。前方部分３０は、人の鼻２７の形状に適合する、圧力により変形可能な鼻ブリッジ６０を備えていることが好ましい。前方部分３０は、不透明な外層７０及び圧力により変形可能な内層８０を備えていてもよい。このような実施形態において、圧力により変形可能な層８０は圧力により変形可能な鼻ブリッジ６０を形成し、金属材料１００（図３）等の、内側圧力により変形可能な材料１００に囲まれた可撓性外装シース９０を備える。
【００２２】
図４に図示される一実施形態においては、前方部分３０は、鼻ブリッジ１６０において共に固定された１対のレンズのように見える部分１５０を備えたメガネの形状をしている。前方部分３０は、可撓性を有するポリエステルの布材料で作られていることが好ましいが、人の肌に優しい、不透明かつ可撓性の好適な材料で作られていてもよい。
【００２３】
一実施形態において、不透明な外層は、アイマスク１０が人２０に装着されているときに、人のまぶた２４及びまつ毛２３が外層７０に接触しないように、１対の眼用の窪み部分１１０を備える（図３）。更にアイマスク１０は、少なくとも１つのパッド入りの領域２９０を、内面３３に備えていてもよい（図２）。
【００２４】
２本のサイドストラップ４０はそれぞれ前方部分３０に取付けられており、ストラップ端部４８にて終端している。各ストラップ端部４８は、例えば面ファスナタイプの留め具５０等の、二つの部分で構成される第１の機械的留め具５０の少なくとも一つの部分５１，５２を有している。各サイドストラップ４０はトリコット又はテリレン材料で作られていてもよく、このような材料は面ファスナタイプの留め具５０のループ部分５１としても機能する。この場合、アイマスク１０は、二つの部分で構成される第１の機械的留め具５０の各部分５１，５２を互いに対して固定することによって、人の頭部２１に固定されてもよい。
【００２５】
一実施形態において（図示なし）、アイマスク１０はリバーシブルになっており、アイマスク１０の内面３３が、外面３７とは異なる外観の材料を有している。この場合、両方のストラップ端部４８は、二つの部分で構成される第１の機械的留め具５０の少なくとも一つの部分５１，５２をストラップ端部４８の内面３３及び外面３８の両方に有する。
【００２６】
一実施形態において、サイドストラップ４０の少なくとも一方は、少なくとも１つの耳栓１３０又は他のものを保持するように構成されたポケット１２０を備える。２本のサイドストラップ４０のそれぞれが１つのポケット１２０を備える実施形態において、各ポケット１２０は、耳栓１３０が紛失する可能性を減らすためにひも１４０でポケット１２０に取付けられた、１つの耳栓１３０を備えていてもよい（図２及び６）。
【００２７】
各サイドストラップ４０は、人２０に装着されているときに人の耳２５に近接する弾性部分１７０を更に備えていてもよい（図５）。弾性部分１７０は、人の耳２５によって変形可能であり、サイドストラップ４０による人の耳２５の引っ張りを減らす。各弾性部分１７０は、少なくとも１つの耳栓１３０を保持するように構成されたポケット１２０を形成していてもよい。各弾性部分１７０は、下方に延在して、人の耳２５のほぼ全体を覆ってもよく、人の耳２５に下ろしたときに音を減少させる、高密度の内層（図示なし）を備えていてもよい。
【００２８】
使用時において、ストラップ端部４８同士は、機械的留め具５０を用いて、人の頭部の周囲において互いに対して固定され、前方部分３０は、人の眼２２から周囲の光を遮断する。圧力により変形可能な鼻ブリッジ６０は、人の鼻２７及び顔の形状に適合するように調節されて、人の眼２２から周囲の光を更に遮断するようにしてもよい。
【００２９】
サイドストラップ４０の少なくとも一方は、例えば面ファスナタイプの留め具、１対の磁石等の、二つの部分で構成される第２の機械的留め具１８０（図６）の第１の部分１８１を備えていてもよい。このような実施形態において、アイマスク１０は、例えば既存の航空機又は自動車の座席１５等、座席１５の一部を取り囲むように構成された、座席保持ストラップ１９０を更に備える。このような座席保持ストラップ１９０は、少なくとも１つの長さ調節バックル２００と、二つの部分で構成される第２の機械的留め具１８０の第２の部分１８２と、任意選択で、保持ストラップ１９０の端部１９５同士を相互に固定するための二つの部分で構成される固定バックル２０５とを備える。長さ調節バックル２００はそれぞれ、中でストラップ１９０を選択的に固定するためにカムロック機構を備えていてもよい。
【００３０】
この場合、座席保持ストラップ１９０は、座席１５の一部の周囲に位置決めされて、各ストラップ端部１９５同士を互いに対して固定し、かつ、長さ調節バックル２００を調節することによって、座席１５の一部の周囲に固定される。二つの部分で構成される第２の機械的留め具１８０の第２の部分１８２が前方を向いた状態、かつ、二つの部分で構成される第２の機械的留め具１８０の第１の部分１８１が後方を向いてアイマスク１０が人２０に装着されている状態で、二つの部分で構成される第２の機械的留め具１８０の第１及び第２の部分１８１，１８２は、互いに対して固定されて、人の頭部２１を座席１５に対して保持してもよい。
【００３１】
各サイドストラップ４０は、第３の機械的留め具２１０の第２の部分２１４を有する端部２５にて終端する保持ストラップ２２０により選択的に固定されるように構成された、第３の機械的留め具２１０の第１の部分２１２を更に備えていてもよい（図７）。このような第３の機械的留め具２１０は、１対の磁石２６０（図７）、リング２７０、機械的クリップ２８０（図８）等を備えていてもよい。この場合、保持ストラップ２２０は座席１５の周囲に位置決めされ、各サイドストラップ４０により固定されて、人の頭部２１を座席１５に対して保持してもよい。保持ストラップ２２０は、長さ調節バックル２００の１つを備えていてもよい。
【００３２】
保持ストラップ２２０は、座席１５の一部を取り囲むように構成されるとともに、長さ調節バックル２００の１つを備える、座席保持ストラップ２３０を備えていてもよい。保持ストラップ２００は、１対の前方保持ストラップ２４０を更に備えていてもよく、該１対の前方保持ストラップ２４０はそれぞれ、第３の機械的留め具２１０の第２の部分２１４の一方を有する前端２４８と、前方保持ストラップ２４０を座席保持ストラップ２３０により選択的に固定するように構成されたストラップコネクタ２５０を有する後端２４２とにおいて終端する（図８）。各前方保持ストラップ２４０は、前方保持ストラップ２４０の長さが選択的に調節可能となり得るように、長さ調節バックル２００の１つを更に備えていてもよい。
【００３３】
この場合、座席保持ストラップ２３０は座席１５の一部の周囲に位置決めされ、座席保持ストラップ２３０の長さを長さ調節バックル２００で調節することによって、座席１５の一部の周囲に固定されてもよい。各前方保持ストラップ２４０は、後端２４２において座席保持ストラップ２３０に、前端２４８においてサイドストラップ４０の一方に取付けられている。この場合、アイマスク１０が人２０に装着された状態で、人の頭部２１は座席１５に対してほぼ定位置に保持される。
【００３４】
各ストラップ１９０，２２０，２４０は、可撓性を有するナイロンストラップ材料などで作られていることが好ましい。更に、長さ調節バックル２００、ストラップコネクタ２５０、カムロック機構３００はそれぞれ、硬質プラスチック成形材料で作られていることが好ましい。
【００３５】
本発明の特定の形態が図示、説明されてきたが、本発明の精神及び範囲を逸脱することなく、様々な改変が可能であることが明らかになるであろう。例えば、図面に示された前方部分３０及びサイドストラップ４０の形状は、特定の実施形態を示しており、添付の請求項の範囲になおも包含されるその他の実施形態とは異なって見える場合がある。したがって、添付の請求項によって制限されている場合を除き、本発明が制限されることが目的ではない。
【００３６】
本発明の特定の特徴又は態様を説明する際に用いられる特定の用語は、その用語が関連する本発明の特定の特性、特徴、又は態様に限定されていると解釈されるように本願中でその用語が再定義されていることを意味するものではない。概して、以下の請求項で用いられている用語は、上記の「詳細な説明」の部分にこのような用語が明示的に定義されていない限り、本発明を本明細書に開示されている特定の実施形態に限定していると解釈されるべきではない。したがって、本発明の実際の範囲は、開示された実施形態のみならず、本発明を実行又は実施する均等な方法の全てを包含している。
【００３７】
上記の本発明の実施形態の詳細な説明は、排他的なものでも、又は本発明を以上で開示した通りの形態に限定するものでも、又は本開示において述べられた特定の分野における利用に限定するものでもない。本発明の特定の実施形態又は例は、例示の目的で上記で説明されており、当業者が理解する通り、様々な均等となる改変が本発明の範囲内において可能である。また、本願中で提供される本発明の教示は、上述のシステムに拘らず、他のシステムに適用することも可能である。上述された様々な実施形態の要素及び作用を組み合わせて、更なる実施形態を提供することも可能である。
【００３８】
上記の特許、出願、及び他の文献の全ては、添付の出願書類に記載され得るものも含めて、参照により本願に援用される。本発明の態様を必要に応じて変更し、上記の様々な文献のシステム、機能及び概念を採用して、本発明の更なる実施形態を提供することが可能である。
【００３９】
上述の「詳細な説明」を踏まえて、本発明に変更を加えることが可能である。上述の説明は本発明の特定の実施形態を詳述し、予期されるベストモードを説明しているが、これらの説明が文中にどんなに詳細に説明されていても、本発明は様々な方法で実施可能である。したがって、実施の詳細は相当異なるかもしれないが、それでも本願に開示されている本発明によって包含されている。上記のとおり、本発明の特定の特徴又は態様を説明する際に用いられる特定の用語は、その用語が関連する本発明の特定の特性、特徴、又は態様に限定されるものとしてその用語が本願中で再定義されていると解釈されるべきではない。
【００４０】
本発明の特定の態様が特定の請求項形式で以下に提示されているが、発明者は、任意の数のクレーム形態において本発明の様々な態様を企図している。したがって、発明者は出願書類を提出した後に請求項を追加し、本発明の他の態様に関するこのような追加の請求項形態の権利化を追及する権利を有する。
【図１】
2015528330.tif 000003
【図２】
2015528330.tif 000004
【図３】
2015528330.tif 000005
【図４】
2015528330.tif 000006
【図５】
2015528330.tif 000007
【図６】
2015528330.tif 000008
【図７】
2015528330.tif 000009
【図８】
2015528330.tif 000010
【国際調査報告】
2015528330.tif 000011